(57)【要約】【課題】書籍内容を電子化した電子書籍データを再生可能な電子書籍装置において、既読箇所を判定する機能を備え、既読と判定された箇所の表示形態を加工できるようにする。【解決手段】電子書籍装置１０は、電子書籍データの所望ページをデコードする電子書籍データデコード部１３と、デコードした所望ページの既読箇所を判定する既読情報管理部１９と、既読と判定された箇所の表示形態を加工する既読表示処理部２０と、を備える。既読情報管理部１９は、前記所望ページから次ページへページ送り処理を行ったときに、前記所望ページを既読と判定し、既読表示処理部２０は、既読と判定されたページの文字の色を変更したり、あるいは、該ページの背景に色を付けるなどの処理を行う。【選択図】図１
2006331094.tif 000002
【特許請求の範囲】
【請求項１】
書籍内容を電子化した電子書籍データを再生可能な電子書籍装置において、前記電子書籍データの所望ページをデコードするデコード手段と、該デコードした所望ページの既読箇所を判定する既読判定手段と、既読と判定された箇所の表示形態を加工する表示形態加工手段と、を備えていることを特徴とする電子書籍装置。
【請求項２】
請求項１に記載の電子書籍装置において、前記既読判定手段は、前記所望ページから次ページへページ送り処理を行ったときに、前記所望ページ全体を既読と判定することを特徴とする電子書籍装置。
【請求項３】
請求項２に記載の電子書籍装置において、前記ページ送り処理は、前記所望ページをジャンプさせて次ページに切り替える処理、あるいは、前記所望ページを行スクロールさせて次ページに切り替える処理であることを特徴とする電子書籍装置。
【請求項４】
請求項１に記載の電子書籍装置において、前記既読判定手段は、前記所望ページを行スクロールする処理を行ったときに、前記所望ページの行スクロールした部分を既読と判定することを特徴とする電子書籍装置。
【請求項５】
請求項１に記載の電子書籍装置において、前記既読判定手段は、前記所望ページを表示させてから所定時間経過したときに、前記所望ページ全体を既読と判定することを特徴とする電子書籍装置。
【請求項６】
請求項１乃至５のいずれか１に記載の電子書籍装置において、前記表示形態加工手段は、前記既読判定手段により既読と判定された箇所の文字の色を変更することを特徴とする電子書籍装置。
【請求項７】
請求項１乃至５のいずれか１に記載の電子書籍装置において、前記表示形態加工手段は、前記既読判定手段により既読と判定された箇所の背景に色を付けることを特徴とする電子書籍装置。
【請求項８】
請求項１乃至５のいずれか１に記載の電子書籍装置において、前記表示形態加工手段は、前記既読判定手段により既読と判定された箇所の背景に濃淡を付けることを特徴とする電子書籍装置。
【請求項９】
請求項１乃至５のいずれか１に記載の電子書籍装置において、前記表示形態加工手段は、前記既読判定手段により既読と判定された箇所に、マークあるいはアイコンを付加することを特徴とする電子書籍装置。
【発明の詳細な説明】
【技術分野】
【０００１】
本発明は、電子書籍装置、より詳細には、書籍内容を電子化した電子書籍データの既読箇所を判定する機能を備えた電子書籍装置に関する。
【背景技術】
【０００２】
従来、電子書籍装置は、書籍の内容を電子化した電子書籍データを記憶するための記憶媒体、電子書籍データを表示させる液晶表示部、読みたい電子書籍データの選択やページ捲り等を操作する操作入力部、電子書籍装置の各部を制御する制御部等を備え、操作入力部により所望の電子書籍データが選択されると、制御部は記憶媒体から該当する電子書籍データを読み出して、その電子書籍データの１ページ目の本文データを液晶表示部に表示し、さらに、操作入力部においてページ捲りが指示されると液晶表示部に表示されている書籍データを次ページに切り替えて表示できるように構成されている。
【０００３】
このような電子書籍装置は、従来の紙の書籍と比較して、資源の消費を抑えることができ、また、一つの装置で複数の電子書籍データを記憶できるので携帯に便利である。更に、書籍の管理が容易となる。このように様々な利点を持つことから、電子書籍専用機をはじめ、携帯電話機、ＰＤＡ（Ｐｅｒｓｏｎａｌ  Ｄｉｇｉｔａｌ  Ａｓｓｉｔａｎｔ）など様々な形態の電子書籍装置が普及してきている。
【０００４】
従来の電子書籍装置において、読者が表示画面に表示されたページを読んで行くときに、読書を途中で中断しなければならないことが起こり得る。例えば、電子書籍装置を携帯して電車内や喫茶店などの外出先で読書をする場合、途中の中途半端なところで読書を中断することがある。そして、自宅などの他の場所で読書を再開するときに、電子書籍装置には既読箇所が明示されないため、どこまで読んだかは読者の記憶に頼るしかなかった。
【０００５】
これに対して、例えば、特許文献１には、読書が中途半端なところで中断しないようにした電子書籍再生装置が開示されている。これは、設定した読書範囲及び読書予定時間に基づいて算出された目視速度より、画像メモリに網掛表示データを書き込む書込間隔を算出し、記録媒体から読み出された文章データを画像データにして画像メモリに格納し、格納したデータを表示部に出力して文章を表示し、そして、網掛表示データを上記算出した書込間隔で画像データに付加し、その網掛表示データが付加された画像データを表示部に出力して上記設定した読書範囲の最終位置まで網掛表示を行うようにしたものである。
【特許文献１】特開平９−６２６９９号公報
【発明の開示】
【発明が解決しようとする課題】
【０００６】
上記特許文献１に記載の発明は、予め設定した読書範囲に対して目視速度に応じて自動的に網掛表示するように構成されており、読者は中途半端なところで読書を中断することなく、さらに、網掛表示により既読箇所を判別することができる。しかしながら、読者は設定した読書範囲（すなわち、網掛表示する箇所）を読まなければならず、読書途中の任意の箇所で読書を中断することができない。また、ページ送りの操作をしたときに、表示されたページが本当に次のページなのか、誤操作して戻ってしまったのか、一見しただけではわからないことがある。また、リンクでジャンプすると、現在の表示位置がリンク元より前か後か、既に読んだ箇所かどうかを把握することができない場合がある。このように従来の電子書籍装置では、読者が読み終えた任意の既読箇所を判定し、さらに、判定した既読箇所を明示できるような機能がなく、使い勝手の面で問題があった。
【０００７】
本発明は、上述のごとき実情に鑑みてなされたものであり、書籍内容を電子化した電子書籍データを再生可能な電子書籍装置において、電子書籍データの既読箇所を判定する機能を備え、既読と判定された箇所の表示形態を加工できるようにすること、を目的とする。
【課題を解決するための手段】
【０００８】
上記課題を解決するために、本発明の第１の技術手段は、書籍内容を電子化した電子書籍データを再生可能な電子書籍装置において、前記電子書籍データの所望ページをデコードするデコード手段と、該デコードした所望ページの既読箇所を判定する既読判定手段と、既読と判定された箇所の表示形態を加工する表示形態加工手段と、を備えていることを特徴としたものである。
【０００９】
本発明の第２の技術手段は、第１の技術手段において、前記既読判定手段は、前記所望ページから次ページへページ送り処理を行ったときに、前記所望ページ全体を既読と判定することを特徴としたものである。
【００１０】
本発明の第３の技術手段は、第２の技術手段において、前記ページ送り処理は、前記所望ページをジャンプさせて次ページに切り替える処理、あるいは、前記所望ページを行スクロールさせて次ページに切り替える処理であることを特徴としたものである。
【００１１】
本発明の第４の技術手段は、第１の技術手段において、前記既読判定手段は、前記所望ページを行スクロールする処理を行ったときに、前記所望ページの行スクロールした部分を既読と判定することを特徴としたものである。
【００１２】
本発明の第５の技術手段は、第１の技術手段において、前記既読判定手段は、前記所望ページを表示させてから所定時間経過したときに、前記所望ページ全体を既読と判定することを特徴としたものである。
【００１３】
本発明の第６の技術手段は、第１乃至第５のいずれか１の技術手段において、前記表示形態加工手段は、前記既読判定手段により既読と判定された箇所の文字の色を変更することを特徴としたものである。
【００１４】
本発明の第７の技術手段は、第１乃至第５のいずれか１の技術手段において、前記表示形態加工手段は、前記既読判定手段により既読と判定された箇所の背景に色を付けることを特徴としたものである。
【００１５】
本発明の第８の技術手段は、第１乃至第５のいずれか１の技術手段において、前記表示形態加工手段は、前記既読判定手段により既読と判定された箇所の背景に濃淡を付けることを特徴としたものである。
【００１６】
本発明の第９の技術手段は、第１乃至第５のいずれか１の技術手段において、前記表示形態加工手段は、前記既読判定手段により既読と判定された箇所に、マークあるいはアイコンを付加することを特徴としたものである。
【発明の効果】
【００１７】
本発明によれば、書籍内容を電子化した電子書籍データを再生可能な電子書籍装置において、電子書籍データの既読箇所を判定する機能を備え、部分的に既読と判定された箇所の表示形態を加工できるため、読書を任意の箇所で一旦中断した場合や、ページ送りの操作をしたときに、表示されたページが本当に次のページなのか、誤操作して戻ってしまったのか把握したい場合、また、リンクでジャンプしたときに、現在の表示位置がリンク元より前か後か、既に読んだ箇所かどうかを把握したい場合に、既読箇所を容易に判別することができる。
【発明を実施するための最良の形態】
【００１８】
図１は、本発明の一実施形態に係る電子書籍装置の構成例を示すブロック図で、図中、１０は電子書籍装置で、該電子書籍装置１０は、ＨＤＤ（ハードディスクドライブ）１１、ファイルシステム部１２、電子書籍データデコード部１３、文書レイアウト処理部１４、モニタ出力部１５、操作パネル１６、操作パネル制御検出部１７、指定ページ表示制御部１８、既読情報管理部１９、既読表示処理部２０、を備えている。
【００１９】
以下、本実施形態の電子書籍装置１０が備える各部について詳細に説明する。ＨＤＤ１１は、外部記録媒体あるいはネットワークを介して取得される電子書籍データを記憶する記憶手段である。ファイルシステム部１２は、ＨＤＤ１１から電子書籍データを読み出す手段である。操作パネル１６は、ユーザからの各種操作入力を受け付ける手段であり、画面表示させる電子書籍データのページ指定の入力などを受け付ける。操作パネル制御検出部１７は、操作パネル１６から指定されたページの表示要求を検出する。指定ページ表示制御部１８は、操作パネル制御検出部１７で検出されたページ表示要求に従って、指定されたページを表示するように電子書籍データデコード部１３を制御する。
【００２０】
電子書籍データデコード部１３は、電子書籍データの所望ページをデコードする手段である。文書レイアウト処理部１４は、電子書籍データデコード部１３でデコードされたページを文書イメージ（すなわち、モニタ出力イメージ）に展開する。モニタ出力部１５は、文書レイアウト処理部１４で展開された文書イメージを表示するための手段で、例えば液晶ディスプレイなどで構成されている。
【００２１】
以下、既読表示処理について説明する。電子書籍データデコード部１３でデコードされたページ情報は既読情報管理部１９に渡される。既読情報管理部（本発明の既読判定手段に該当する）１９は、電子書籍データデコード部１３でデコードされた所望ページの既読箇所を判定し、その判定結果を既読表示処理部２０に通知する。既読表示処理部（本発明の表示形態加工手段に該当する）２０は、既読と判定された箇所の表示形態を加工するように文書レイアウト処理部１４を制御する。文書レイアウト処理部１４は、既読表示処理部２０からの制御に従って、既読箇所の文字の色を変更したり、背景に色を付けるなどの方法で既読箇所の表示形態を加工する。なお、既読箇所は、ページ全体、あるいは、ページの一部でもよい。
【００２２】
既読情報管理部１９による既読箇所の判定方法としては、例えば、画面に表示させているページから次ページへページ送り処理を行ったときに、直前に表示させていた箇所を既読と判定してもよい。この場合、ページ送り方法として、表示中のページ全体をジャンプさせて次ページに送る方法と、表示中のページを行スクロールさせて次ページに送る方法とが考えられる。前者の場合、直前に表示させていたページ全体が既読と判定され、後者の場合、直前に表示させていたページ全体あるいは送った部分だけが既読と判定される。また、画面に任意のページを表示させてから所定時間経過したときに、当該ページを既読と判定するようにしてもよい。この場合、表示中のページ全体が既読と判定される。
【００２３】
図２は、本発明が適用される電子書籍装置１０のページ表示処理の一例を説明するためのフロー図である。まず、電子書籍装置１０の読者が、操作パネル１６から電子書籍データのページを指定すると（ステップＳ１）、操作パネル制御検出部１７が指定ページの表示要求を検出し、その検出結果を指定ページ表示制御部１８に通知する（ステップＳ２）。指定ページ表示制御部１８は、指定ページを表示するように電子書籍データデコード部１３を制御する（ステップＳ３）。電子書籍データデコード部１３は、指定ページ表示制御部１８からの制御信号に従って、ＨＤＤ１１から該当する電子書籍データを読み出して、指定ページの文書データをデコードする（ステップＳ４）。
【００２４】
次に、文書レイアウト処理部１４は、電子書籍データデコード部１３でデコードされた文書データ（本文及び画像）を文書イメージ（モニタ出力イメージ）に展開し（ステップＳ５）、展開した文書イメージをモニタ出力部１５から出力する（ステップＳ６）。
【００２５】
図３は、本発明が適用される電子書籍装置１０の既読表示処理の一例を説明するためのフロー図である。まず、電子書籍装置１０の電子書籍データデコード部１３は、デコードしたページ情報を既読情報管理部１９に渡し（ステップＳ１１）、既読情報管理部１９は、渡されたページ情報の既読箇所の判定処理を行い、その判定結果を既読表示処理部２０に通知する（ステップＳ１２）。
【００２６】
上記ステップＳ１２において、既読情報管理部１９による既読判定方法としては、例えば、画面に表示させているページから次ページへページ送り処理を行ったときに、直前に表示させていた箇所を既読と判定してもよい。この場合、前述したように、ページ送り方法として、表示中のページ全体をジャンプさせて次ページに送る方法と、表示中のページを行スクロールさせて次ページに送る方法とが考えられる。前者の場合、直前に表示させていたページ全体が既読と判定され、後者の場合、直前に表示させていたページ全体あるいは送った部分だけが既読と判定される。また、現在表示中のページが表示されてから所定時間経過したときに、当該ページを既読として判定するようにしてもよい。
【００２７】
次に、既読表示処理部２０は、既読情報管理部１９で既読と判定された箇所を表示する際に、当該箇所が既読であることを表すように表示形態を加工する（ステップＳ１３）。具体的には、既読表示処理部２０は、文書レイアウト処理部１４を制御して、文書レイアウト処理部１４が既読箇所の文字色や背景色を変更する処理を行う。最後に、文書レイアウト処理部１４は、表示形態を加工した既読箇所をモニタ出力部１５から出力する（ステップＳ１４）。
【００２８】
図４は、既読箇所の判定、表示方法の一例を説明するための図で、図中、１〜５は電子書籍データのページ、６はモニタ画面を示す。本例では画面上に表示している部分よりも前の部分を既読とする例について説明する。図４（Ａ）に示すように、モニタ画面６にページ送り処理によりページ３が表示されると、ページ３より前のページ（ページ１，ページ２）が既読とされ、これらページ１，ページ２の背景が色付け処理される。
【００２９】
さらに、ページ送り（行スクロール）を行って、モニタ画面６に表示させるページを図４（Ｂ）に示す状態にすると、進めた部分が既読とされ、この部分の背景が色付け処理される。図４（Ｂ）に示す状態から、図４（Ａ）に示す状態にページを戻した場合、図４（Ｃ）に示すように、進めた部分の背景に色が付いた状態でページ３が表示される。なお、既読箇所の判定処理は既読情報管理部１９により実行され、既読箇所の表示処理は既読表示処理部２０及び文書レイアウト処理部１４により実行される。
【００３０】
図５は、既読箇所の判定、表示方法の他の例を説明するための図である。本例では画面上に表示している部分から少しでも進んだら（行スクロールしたら）、前のページ全体を既読とする例について説明する。図５（Ａ）に示すように、モニタ画面６にページ送り処理によりページ３が表示されると、ページ３より前のページ（ページ１，ページ２）が既読とされ、これらページ１，ページ２の背景が色付け処理される。さらに、ページ送り（行スクロール）を行って、モニタ画面６に表示させるページを図５（Ｂ）に示すように数行分行スクロールすると、ページ３全体が既読とされ、ページ３の背景が色付け処理される。
【００３１】
図６は、既読箇所の判定、表示方法の他の例を説明するための図である。本例では画面上に表示しているページから１ページ以上進んだら（行スクロールしたら）、前のページ全体を既読とする例について説明する。図６（Ａ）に示すように、モニタ画面６にページ送り処理によりページ３が表示されると、ページ３より前のページ（ページ１，ページ２）が既読とされ、これらページ１，ページ２の背景が色付け処理される。さらに、ページ送り（行スクロール）を行って、モニタ画面６に表示させるページが図６（Ｂ）に示すように１ページ以上先（すなわち、ページ４以降）になると、ページ３全体が既読とされ、ページ３の背景が色付け処理される。
【００３２】
以上の説明では、既読箇所の背景に色付け処理した例について説明したが、既読箇所の表示形態を他の方法で加工してもよい。図７は、既読箇所の表示形態を加工する方法の例を示す図で、図中、１′〜５′は電子書籍データのページ、６′はモニタ画面を示す。モニタ画面６′にページ送り処理によりページ３′が表示されると、ページ３′より前のページ（ページ１′，ページ２′）が既読とされ、これらページ１′，ページ２′の表示形態が加工される。これにより、電子書籍装置１０の読者はページ１′，ページ２′が既読であることを容易に判別することができる。
【００３３】
図７（Ａ）は、ページ１′，ページ２′の文字の色が変更された状態を示す。図７（Ｂ）は、ページ１′，ページ２′の背景に色を付けた状態を示す。図７（Ｃ）は、ページ１′，ページ２′の背景に濃淡（グラデーション）を付けた状態を示す。図７（Ｄ）は、ページ１′，ページ２′が既読であることを示すマークあるいはアイコン７（本例では済マーク７）を付与した状態を示す。上述した図７（Ａ）〜図７（Ｄ）に示す加工方法以外に、例えば、既読ページを読むことができない程度に背景に色付けする方法、既読ページが読める程度に背景に色付けする方法、既読ページ／表示中（現在読んでいる）ページ／未読ページの背景にそれぞれ異なる色を付ける方法、など各種の加工方法を適用することができる。
【００３４】
以上説明したように、本発明によれば、書籍内容を電子化した電子書籍データを再生可能な電子書籍装置において、電子書籍データの既読箇所を判定する機能を備え、部分的に既読と判定された箇所の表示形態を加工できるため、読書を任意の箇所で一旦中断した場合や、ページ送りの操作をしたときに、表示されたページが本当に次のページなのか、誤操作して戻ってしまったのか把握したい場合、また、リンクでジャンプしたときに、現在の表示位置がリンク元より前か後か、既に読んだ箇所かどうかを把握したい場合に、既読箇所を容易に判別することができる。
【図面の簡単な説明】
【００３５】
【図１】本発明の一実施形態に係る電子書籍装置の構成例を示すブロック図である。
【図２】本発明が適用される電子書籍装置のページ表示処理の一例を説明するためのフロー図である。
【図３】本発明が適用される電子書籍装置の既読表示処理の一例を説明するためのフロー図である。
【図４】既読箇所の判定、表示方法の一例を説明するための図である。
【図５】既読箇所の判定、表示方法の他の例を説明するための図である。
【図６】既読箇所の判定、表示方法の他の例を説明するための図である。
【図７】既読箇所の表示形態を加工する方法の例を示す図である。
【符号の説明】
【００３６】
１，２，３，４，５，１′，２′，３′，４′，５′…ページ、６，６′…モニタ画面、７…既読であることを示すマークあるいはアイコン、１０…電子書籍装置、１１…ＨＤＤ、１２…ファイルシステム部、１３…電子書籍データデコード部、１４…文書レイアウト処理部、１５…モニタ出力部、１６…操作パネル、１７…操作パネル制御検出部、１８…指定ページ表示制御部、１９…既読情報管理部、２０…既読表示処理部。
【図１】
2006331094.tif 000003
【図２】
2006331094.tif 000004
【図３】
2006331094.tif 000005
【図４】
2006331094.tif 000006
【図５】
2006331094.tif 000007
【図６】
2006331094.tif 000008
【図７】
2006331094.tif 000009